(57)【要約】【課題】視認性の低下を抑えつつ規定された表示範囲の有効活用を図って表示項目の追加及び運用性の向上を実現できる電力量計の提供。【解決手段】電力量計に備わるセグメント表示器１０における第１〜第６セグメント１１〜１６は、通常のセグメント表示器と同様の構成であり、第７セグメント１７は通常のセグメントに代えて右横向き三角マークを示す形状となっている。【選択図】  図１
2005024461.tif 000002
【特許請求の範囲】
【請求項１】
電力量の表示項目に係る数字及び文字のうち少なくとも一方を、複数のセグメント表示要素の組合せで表示するセグメント表示器を有する電力量計において、
前記表示項目は、少なくとも、時間帯、当該時間帯における有効電力量及び当該時間帯における最大需要電力からなり且つこれらが一列に配置され、
この表示項目の前記時間帯、前記有効電力量及び前記最大需要電力のうち少なくとも１つがセグメント表示器で構成され、当該セグメント表示器における前記複数のセグメント表示要素のうち少なくとも１つを、他のセグメント表示要素と異なる表示要素で置換えてなることを特徴とする電力量計。
【請求項２】
前記表示項目を複数段備えると共に、当該複数段における少なくとも１段の表示項目の前記時間帯、前記有効電力量及び前記最大需要電力ののうち少なくとも１つがセグメント表示器で構成され、当該セグメント表示器における前記複数のセグメント表示要素のうち少なくとも１つを、他のセグメント表示要素と異なる表示要素で置換えてなることを特徴とする請求項１記載の電力量計。
【発明の詳細な説明】
【０００１】
【発明の属する技術分野】
本発明は、液晶や発光ダイオード等を用いたセグメント表示器を有する電力量計に関する。
【０００２】
【従来の技術】
電力量計には、構造が簡単であること及び駆動が容易等の理由でセグメント表示器が多用されている。
【０００３】
図５に示すような、セグメント表示器を使用した電力量計の表示部１０１がある。これは、２４時間を複数区分の時間帯に分けて料金取り引きを行なう時間帯別計量を行う電力量計に用いられるもので、時間帯別の有効電力量を示す部分１０１Ａ、時間帯を示す部分１０１Ｂ、時刻を示す部分１０１Ｃからなる。
【０００４】
この表示部１０１は、液晶による７つのセグメント表示要素を有するセグメント表示器を備えるものであり、１桁は、０〜９までの数字を７つのセグメント表示要素の組合せで表示する。有効電力量を示す部分１０１Ａ及び時刻を示す部分１０１Ｃでは、数字の桁の他に「小数点」や「コロン」を示す桁も含まれている。また、時間帯別有効電力量を示す部分１０１Ａには、「時間帯別計量中である」等の検針時における視認性の向上を図る等のため、数字以外の情報として、現在時間帯を示す三角マーク１０１Ａ−１が、複数の桁による数字（有効電力量）表示部１０１Ａ−２の左端部に併設されている。
【０００５】
また、上記と同様なセグメント表示器を内蔵した電力量計としては、非特許文献１に示されるものもある。
【０００６】
近年の電力量計において、製品への多機能化と時間帯数増加の要求に伴い、時間帯別表示項目の追加と表示レイアウトの見なおしが求められている。それは上述した時間帯別有効電力量１０１Ａの他に時間帯別最大需要電力という新しい表示項目の追加の必要や、現表示方法では１画面に１時間帯分の項目しか表示しないことから、時間帯数の増加に伴い遷移画面数の増加による運用性の低下への懸念からの多段表示の採用があげられる。
【０００７】
【非特許文献１】
川嶋純一、“技術開発ニュースＮＯ．８７／２０００−１１”、［ｏｎｌｉｎｅ］、中部電力株式会社、［平成１５年５月３０日検索］、インターネット〈ＵＲＬ：ｈｔｔｐ：／／ｗｗｗ．ｃｈｕｄｅｎ．ｃｏ．ｊｐ／ｔｏｒｉｋｕｍｉ／ｋｅｎｋｙｕ／ｎｅｗｓ／ｐｄｆ／０８７／ＮＯ８７１７．ｐｄｆ〉
【０００８】
【発明が解決しようとする課題】
図５の電力量計のセグメント表示部において、時間帯表示項目を２行以上に多段化表示化するには、時間帯表示部１０１Ｂ、時間帯別有効電力量表示部１０１Ａと追加する時間帯別最大需要電力表示部を１行に並べなければいけないが、電力量計にはその運用設備上、表示範囲の規定がある。
【０００９】
そのため、単に各表示部を１行に並べるには、表示サイズの縮小化を図る必要があり、これには視認性の低下が起こりうる。
【００１０】
本発明の目的は、視認性の低下を抑えつつ電力量計に規定された表示画面範囲内に表示項目の追加を行うとともに、時間帯別表示項目を多段化することにより、画面遷移数を減少させ運用性の向上に応じることができる電力量計を提供することにある。
【００１１】
【課題を解決するための手段】
上記目的を達成するために本発明は、電力量の表示項目に係る数字及び文字のうち少なくとも一方を、複数のセグメント表示要素の組合せで表示するセグメント表示器を有する電力量計において、
前記表示項目は、少なくとも、時間帯、当該時間帯における有効電力量及び当該時間帯における最大需要電力からなり且つこれらが一列に配置され、
この表示項目の前記時間帯、前記有効電力量及び前記最大需要電力のうち少なくとも１つがセグメント表示器で構成され、当該セグメント表示器における前記複数のセグメント表示要素のうち少なくとも１つを、他のセグメント表示要素と異なる表示要素で置換えてなることを特徴とする。
【００１２】
本発明によれば、数字及び文字を視認性の低下なくして規定された表示範囲内に１行に表示することを可能とし、さらにそれを多段表示化することで表示画面の遷移数を減少させ、電力量計の運用性の向上を図ることが可能となる。
【００１３】
【発明の実施の形態】
以下、図面を参照して本発明による電力量計の一実施形態を説明する。
【００１４】
本実施形態の電力量計は、電力量の表示項目に係る数字及び文字のうち少なくとも一方を、複数のセグメント表示要素の組合せで表示するセグメント表示器を有するものであり、図１に示すように、本実施形態のセグメント表示部１０は、時間帯別計量を行う電力量計の時間帯表示部の１０桁部に適用したものである。
【００１５】
このセグメント表示部１０における第１〜第６セグメント１１〜１６は、通常のセグメント表示器と同様の構成であるが、例えば、１つのセグメントとして、左上部セグメントを第７セグメントとしたとき、当該第７セグメント１７を、現在の時間帯を示す右横向き三角マークを示す形状に置換えている。この第７セグメント１７は、上部マーク１７ａ，下部マーク１７ｂからなる。これらセグメントは、液晶表示器における電極形状で規定される。
【００１６】
本実施形態のセグメント表示部１０によれば、図２（ａ）〜（ｂ）に示すように数字１，２，３を表示できる他、図２（ｄ）〜（ｆ）に示すように現在の時間帯を示す三角マークと数字１，２，３との組合せを表示でき、さらに図２（ｇ）に示すように現在の時間帯を示す三角マークだけを表示できる。
【００１７】
以上のように本実施形態によれば、７つのセグメント表示要素で、１，２，３までの数字について従来と同様の視認性の下で表示可能とし、同時に現在の時間帯を示すマークをも表示することが可能となる。
【００１８】
次に、図１と同一部分には同一符号を付した図３を参照して本発明による電力量計の他の実施形態を説明する。
【００１９】
図３に示すように、本実施形態の電力量計の時間帯表示を行うセグメント表示部２０は、先の実施形態と同様に１〜０までの数字を適用したものである。
【００２０】
このセグメント表示器２０は、先の実施形態によるセグメント表示器１０と、通常のセグメント表示器１０′とを並置したものであり、一桁目を通常のセグメント表示器１０′とし、十桁目を先の実施形態によるセグメント表示器１０としている。
【００２１】
本実施形態の電力量計のセグメント表示器２０によれば、十桁目において、図２（ａ）〜（ｂ）に示すように数字１，２，３を表示できる他、図２（ｄ）〜（ｆ）に示すように現在の時間帯を示す三角マークと数字１，２，３との組合せを表示でき、さらに図２（ｇ）に示すように現在の時間帯を示す三角マークだけを表示できる。また一桁目において、数字１〜０を表示することができる。
【００２２】
以上のように本実施形態によれば、通常のセグメント表示と先の実施形態のセグメント表示とを同時に表示して、一桁めでは数字のみを表示し、十桁で数字と現在時間帯を示す三角マークとの両方表示するので、数字についての情報量を確保しつつスペースの有効活用を図った特定情報である現在時間帯を示す三角マークの表示も可能となる。
【００２３】
次に、図１，図３と同一部分には同一符号を付した図４を参照して本発明による電力量計のさらに他の実施形態を説明する。
【００２４】
図４に、本発明実施形態の時間帯別計量が可能な電力量計を示す。この電力量計の表示部２００の表示項目は、時間帯を示す部分２００Ａ、時間帯別有効電力量を示す部分２００Ｂ、時間帯別最大需要電力を示す部分２００Ｃ及び時刻を示す部分２００Ｄからなる。ここで、表示項目のうちで時間帯を示す部分２００Ａ、時間帯別有効電力量を示す部分２００Ｂ及び時間帯別最大需要電力を示す部分２００Ｃは、上下二段表示である。
【００２５】
また、時間帯別有効電力量を示す部分２００Ｂ、時間帯別最大需要電力２００Ｃ及び時刻を示す部分２００Ｄは、通常のセグメント表示器で構成されているが、時間帯を示す部分２００Ａは、図３で示した２桁のセグメント表示器２０で構成されている。時間帯を示す部分２００Ａの下段も同様にセグメント表示器２０で構成され、十桁目で現在時間帯を示す三角マークを表示することで、この時間帯が現在計量中であることを明示している。
【００２６】
以上のように本実施形態の電力量計は、図３に示したセグメント表示部２０を適用したものであり、時間帯別の表示を必要とする有効電力量、最大需要電力の２つの項目を並べて表示し、時間帯と現在の時間帯を示す三角マークを表示しつつ、通常のセグメント表示器により時間帯別有効電力量、最大需要電力を示す数字を表示できるようにしたものであり、表示範囲が規定されている電力量計の表示範囲を有効に活用した上で、二段表示化を実現し電力量計の運用性を向上させるものとなる。
【００２７】
なお、上述した各実施形態においては、セグメント表示器における複数のセグメント表示要素のうち少なくとも１つを、他のセグメント表示要素と異なる表示要素で置換える例として、１〜０までの数字を７つのセグメント表示要素で表示する液晶表示器において、１つのセグメント表示要素を三角マークに係る表示要素に置換えた例であったが、三角マークは一例であり、他の幾何学マーク等であってもよく、７つのセグメントにおける左上部セグメント以外の１又は２以上を別の三角マーク等に置換えてもよい。
【００２８】
また、数字以外の情報、例えば英文字、ギリシャ文字、漢字を複数のセグメント表示要素で表示する例えば平面表示器において、英文字等と異なる情報を示す表示要素を、この平面表示器のセグメント表示要素のうち少なくとも１つと置換えて構成することができる。
【００２９】
この他、他のセグメント表示要素と異なる表示要素としては、異なる表示要素に置換えることなく元のままのセグメント表示要素をフリッカ表示する形態、異なる表示要素に置換え当該表示要素をフリッカ表示する形態、異なる表示要素に置換えることなく元のままのセグメント表示要素とし、少なくとも１つのセグメント表示要素の背景部分を、他のセグメント表示要素の背景部分と異なる色要素等に置換える形態、異なる表示要素に置換え当該表示要素の背景部分を、他のセグメント表示要素の背景部分と異なる色要素等に置換える形態、異なる表示要素に置換えることなく元のままのセグメント表示要素とし、これら全体又は少なくとも１つのセグメント表示要素を斜め等に形成する形態、異なる表示要素に置換え当該表示要素の背景部分を、これら全体又は当該置換えた表示要素を斜め等に形成する形態等、視認性の向上を図り得る多様な形態を採用することができる。
【００３０】
さらに、表示器における桁数は何ら限定するものではなく、もちろん液晶以外の発光ダイオードを用いたセグメント表示器に適用できる。
【００３１】
また、図４においては、表示項目は、時間帯、有効電力量及び最大需要電力を横に、この順番で一列に配置したが、縦配置であっても良く、配置順番は各種態様を採用することができる。
【００３２】
さらに、図４においては、表示項目を２段とし、下段の時間帯において三角マークを付したが、表示項目は縦又は横の３段以上であっても良く、三角マークは、下段以外の段の有効電力量又は最大需要電力に付すようにしても良い。
【００３３】
また、図４においては、表示項目の時間帯、有効電力量及び最大需要電力を、液晶又は発光ダイオードによるセグメント表示器で全て構成する例を想定しているが、表示項目の時間帯、有効電力量及び最大需要電力のうち、例えば三角マークが付される時間帯だけを、液晶又は発光ダイオードによるセグメント表示器で構成することもできる。
【００３４】
なお、本願発明は、上記各実施形態に限定されるものでなく、実施段階ではその要旨を逸脱しない範囲で種々に変形することが可能である。また、各実施形態は可能な限り適宜組み合わせて実施してもよく、その場合、組み合わされた効果が得られる。さらに、上記各実施形態には種々の段階の発明が含まれており、開示される複数の構成要件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【００３５】
【発明の効果】
以上のように本発明によれば、表示の視認性の低下を抑えつつ、規定されている表示範囲内を有効活用し、時間帯別の有効電力量と最大需要電力を１行にて表示可能とし、それを多段化することで１表示画面内に数時間帯の時間帯別の有効電力量・最大需要電力を表示することが可能となり、確認画面の減少による運用性の向上が可能となる電力量計を提供できるものである。
【図面の簡単な説明】
【図１】本発明による電力量計の一実施形態をセグメント表示器について示す図。
【図２】同実施形態による表示形態を示す図。
【図３】本発明による電力量計の他の実施形態をセグメント表示器について示す図。
【図４】本発明による電力量計のさらに他の実施形態を示す図。
【図５】従来の電力量計を示す図。
【符号の説明】
１０，２０…セグメント表示部、１１〜１６…第１〜第６セグメント、１７…第７セグメント、２００…電力量計、２０１……表示部、２０１Ａ…時間帯別有効電力量を示す部分、２０１Ｂ…時間帯を示す部分、２０１Ｃ，…月時日分を示す部分、２０１Ｄ……時間帯別最大需要電力を示す部分
【図１】
2005024461.tif 000003
【図２】
2005024461.tif 000004
【図３】
2005024461.tif 000005
【図４】
2005024461.tif 000006
【図５】
2005024461.tif 000007